(57)【要約】【課題】気体または微細な液体の成分を室内の目的の場所に目的の濃度で搬送し、空気を清浄にすることを目的とする。【解決手段】フレーム１と放出口２と振動部３からなる空気砲発生装置４と、空気砲発生装置４と気体ダクト５により接続された、内部に濃度センサー６を有する気体濃度調整装置７または微細液滴濃度調整装置８と、気体濃度調整装置７または微細液滴濃度調整装置８と液体ダクト９により接続された溶液タンク１０からなる。調整された空気はフレーム１内で拡散され、振動部３により目的の強度の衝撃を与えられることにより、放出部２より、目的の場所まで渦輪３０の形状で送出される。上記構成において、目的の濃度の材料を含む気体は、濃度を変える事無く、目的の場所に搬送することができる。【選択図】図５
2008188189.tif 000002
【特許請求の範囲】
【請求項１】
渦輪を作る空気砲発生装置と気体の濃度を調整する気体濃度調整装置または微細液滴の濃度を調整する微細液滴濃度調整装置を設け、前記気体濃度調整装置または微細液滴濃度調整装置により、目的濃度に調整された気体または微細液滴を規定の量だけ空気砲発生装置に搬送する搬送装置を備え、その搬送装置により搬送された気体または微細液滴を渦輪として空気砲発生装置より送出する渦輪空気搬送機。
【請求項２】
濃度調整時間を短縮するための加熱器を気体濃度調整装置内部に備え、前記加熱器により溶液を加熱することにより気化時間を短縮できる請求項１記載の渦輪空気搬送機。
【請求項３】
空気砲発生装置よりの送出スピードを変化させたとき、気体濃度調整装置または微細液滴濃度調整装置の目的濃度を変化させ、規定量を空気砲発生装置に搬送する請求項１または２に記載の渦輪空気搬送機。
【請求項４】
空気砲発生装置よりの送出スピードを変化させたとき、気体濃度調整装置または微細液滴濃度調整装置より空気砲発生装置に搬送する量を調整する請求項１または２に記載の渦輪空気搬送機。
【請求項５】
空気砲発生装置内に攪拌ファンを設け、気体濃度調整装置または微細液滴濃度調整装置より搬送された空気を、空気砲発生装置内で均一にする請求項１乃至４のいずれかに記載の渦輪空気搬送機。
【請求項６】
渦輪空気搬送機に臭いセンサーを設け、空気砲発生装置より送出される量を、臭気の量により調整にする請求項１乃至５のいずれかに記載の渦輪空気搬送機。
【請求項７】
渦輪空気搬送機に湿度センサーを設け、空気砲発生装置より送出される量を、臭気の量と種類と湿度による人の感応を考慮し調整にする制御を行う請求項６記載の渦輪空気搬送機。
【請求項８】
渦輪空気搬送機に臭いセンサーを設け、空気砲発生装置より送出される調整された空気の濃度を、臭気の量により調整にする請求項１乃至５のいずれかに記載の渦輪空気搬送機。
【請求項９】
渦輪空気搬送機に空間認識センサーを設け、空気砲発生装置より送出される量と渦輪の崩壊するポイントを、室内空間中心の上方の拡散最適ポイントになるよう調整にする請求項１乃至８のいずれかに記載の渦輪空気搬送機。
【請求項１０】
渦輪空気搬送機に赤外線センサーを設け、空気砲発生装置より送出される量と渦輪の崩壊するポイントを、熱源上方の最適ポイントになるよう調整にする請求項１乃至８のいずれかに記載の渦輪空気搬送機。
【請求項１１】
気体濃度調整装置または微細液滴濃度調整装置を複数以上有する請求項１乃至１０のいずれかに記載の渦輪空気搬送機。
【請求項１２】
渦輪空気搬送機に付属のポインター付きリモコンを設け、任意に選択した場所をポインターで示し、その場所に空気砲発生装置より送出されるよう調整にする請求項１乃至１１のいずれかに記載の渦輪空気搬送機。
【請求項１３】
ポインター付きリモコンに、臭い別のスイッチを設け、任意に臭気を選択して空気砲発生装置より送出されるよう調整にする請求項１２記載の渦輪空気搬送機。
【請求項１４】
空気砲発生装置より送出されるタイミングを１／ｆの制御を用いて調整にする請求項１乃至１１のいずれかに記載の渦輪空気搬送機。
【請求項１５】
渦輪空気搬送機に人感センサーを設け、人が入ってくると装置が作動し芳香成分を送出するよう制御する請求項１乃至１１のいずれかに記載の渦輪空気搬送機。
【請求項１６】
渦輪空気搬送機にセンサーを設け、洗濯物の位置を把握し、不飽和脂肪酸を送出する。同時に渦輪空気搬送機に紫外線ランプを設け、洗濯物に紫外線ランプを照射し不飽和脂肪酸が分解され、天日干しのにおいとなるよう調整した請求項１乃至１１のいずれかに記載の渦輪空気搬送機。
【請求項１７】
微細液滴濃度調整装置内に人に有効な機能性材料を配し。渦輪空気搬送機にセンサーを設け、人の位置を把握し、人の上部近傍で渦輪が崩壊するよう調整された請求項１乃至１１のいずれかに記載の渦輪空気搬送機。
【発明の詳細な説明】
【技術分野】
【０００１】
本発明は、気体成分及び微細液滴成分の搬送に使用される渦輪の技術を使用した空気搬送機に関する。
【背景技術】
【０００２】
従来、この種の空気搬送機は、ファンを使用されたものが知られている（例えば、特許文献１参照）。
【０００３】
以下、その空気搬送機について図１８を参照しながら説明する。
【０００４】
図に示すように、本体１０１は、送風機１０２と送風口１０３からなり、芳香成分含有液を収容する第一収容部１０４と水を収容する第二収容部１０５とエアーポンプ１０６を備える。エアーポンプ１０６より第一収容部１０４と第二収容部１０５に圧縮空気を吹き込み泡を生じさせ、発砲圧力により芳香成分含有液および水を微粒子化し本体１０１内に送り、混合する。送風機１０２により空気を送り、その空気に乗せ送風口１０３より外部に放散される。
【特許文献１】特開２００２−８５５４２号公報
【発明の開示】
【発明が解決しようとする課題】
【０００５】
このような従来の送風装置では、目的の物質の濃度を目的の場所に搬送することが困難という課題があり、装置から目的場所まで、濃度を変化することなく搬送することが要求されている。
【０００６】
また、屋内に均一に拡散という課題があり、最適な場所より拡散をすることが要求されている。
【０００７】
本発明は、このような従来の課題を解決するものであり、濃度を変えることなく目的の場所に搬送することができ、また、目的の場所より拡散を開始できる送風装置を提供することを目的としている。
【課題を解決するための手段】
【０００８】
本発明の渦輪空気搬送機は上記目的を達成するために、気体濃度調整装置または微細液滴濃度調整装置により濃度を調整された空気を、空気砲発生装置に搬送し、空気砲発生装置より送出されるとしたものである。
【０００９】
この手段により一定濃度の空気は渦輪の状態となり、濃度変化無く送出することができ、また、目的の場所まで送出し、そこで渦輪を崩壊させその場所から拡散できる渦輪空気搬送機が得られる。
【００１０】
また、他の手段は気体濃度調整装置内に熱源を設けたものである。
【００１１】
これにより溶液を加熱することにより気化時間を短縮することができ、より早急に空気砲発生装置に目的濃度の空気を搬送できる渦輪空気搬送機が得られる。
【００１２】
また、空気砲発生装置よりの渦輪の単位時間あたりの送出回数を変化させた時に気体濃度調整装置または微細液滴濃度調整装置で調整する空気の濃度を変化させるものである。
【００１３】
これにより送出スピードが変化しても効率的に目的場所に規定量の成分を含む空気を送ることの出来る渦輪空気搬送機が得られる。
【００１４】
また、空気砲発生装置よりの渦輪の単位時間あたりにおける送出回数を変化させた時に気体濃度調整装置または微細液滴濃度調整装置で調整された空気を空気砲に搬送する空気の量を変化させるものである。
【００１５】
これにより送出スピードが変化しても効率的に目的場所に規定量の成分を含む空気を送ることの出来る渦輪空気搬送機が得られる。
【００１６】
また、他の手段は空気砲発生装置内に攪拌ファンを設けたものである。
【００１７】
これにより気体濃度調整装置または微細液滴調整装置より搬送された空気が、早急に空気砲発生装置内で均一な目的濃度できる渦輪空気搬送機が得られる。
【００１８】
また、他の手段は渦輪空気搬送機に臭いセンサーを儲け、臭気の量により空気砲発生装置よりの渦輪の単位時間あたりの送出回数を変化させるものである。
【００１９】
これにより臭気の量に最適な調整された空気を送り、臭気と反応させることができる渦輪空気搬送機が得られる。
【００２０】
また、他の手段は渦輪空気搬送機に数種類の臭いセンサーと湿度センサーを儲け、臭気の量と種類と湿度による人の感じ方を考慮して、空気砲発生装置よりの渦輪の単位時間あたりにおける送出回数を変化させるものである。
【００２１】
これにより臭気の量に最適な調整された空気を送り、臭気と反応させることができる渦輪空気搬送機が得られる。
【００２２】
また、他の手段は渦輪空気搬送機に臭いセンサーを儲け、臭気の量により空気砲発生装置より調整させた空気の濃度を変化させるものである。
【００２３】
これにより臭気の量に最適な調整された空気を送り、臭気と反応させることができる渦輪空気搬送機が得られる。
【００２４】
また、他の手段は渦輪空気搬送機に空間認識センサーを儲け、空間の広さ、重心を把握し、空気砲発生装置より送出させる調整させた空気の量と濃度、渦輪を崩壊させるポイントを規定するための送出のための強度を調整したものである。
【００２５】
これにより最適な調整された空気を空間に最適な濃度と量を拡散に最適なポイントに搬送することができる渦輪空気搬送機が得られる。
【００２６】
また、他の手段は渦輪空気搬送機に熱感知用の赤外線センサーを儲け、臭いの発生元となる熱源を把握し、空気砲発生装置より送出させる調整させた空気の渦輪を崩壊させるポイントを規定するための送出のための強度を熱源上方に調整したものである。
【００２７】
これにより臭いの発生源の近傍に調整された空気を搬送することが、悪臭の拡散を最小限に抑制できる渦輪空気搬送機が得られる。
【００２８】
また、他の手段は気体濃度調整装置または微細液滴調整装置を複数個以上設けたものである。
【００２９】
これにより臭気の種類または好みの香りにより発生する調整された空気の種類を変更することができる渦輪空気搬送機が得られる。
【００３０】
また、他の手段は渦輪空気搬送機に付属のポインター付きリモコンを設けたものである。
【００３１】
リモコン先端のより照射されるレーザーを目的の場所に当て、このポイントに向けて調整された空気を搬送するように制御する。
【００３２】
これにより、臭いの気になる壁面や衣服等のポイントを任意に消臭することができる渦輪空気搬送機が得られる。
【００３３】
また、他の手段は渦輪空気搬送機に付属のポインター付きリモコンににおい別の選択スイッチを設けたものである。
【００３４】
使用者が感応で感じる臭い、または欲する香りを選択することができる渦輪空気搬送機。
【００３５】
これにより、気になる臭いの消臭や好みの臭いを任意に選択できるため満足感の高い渦輪空気搬送機が得られる。
【００３６】
また、他の手段は空気砲発生装置よりの送出のタイミングを１／ｆゆらぎ制御にしたものである。
【００３７】
これにより、人に心地よい送風感が得られる渦輪空気搬送機が得られる。
【００３８】
また、他の手段は渦輪空気搬送機に人感センサーを設け、人が入室した時に快適な香りや悪臭を送出するものである。
【００３９】
これによりその部屋、家または会社に好印象を与えることができる渦輪空気搬送機や、侵入者に対して悪臭を当てることで防犯を行うことのできる渦輪空気搬送機が得られる。
【００４０】
また、他の手段は渦輪空気搬送機にセンサーと紫外線ランプを設け、洗濯物の位置を把握し不飽和脂肪酸を含む空気を洗濯物に送出する。それと共に紫外線ランプを照射することにより、不飽和脂肪酸が分解され天日干しの臭いとすることができるものである。
【００４１】
これにより、屋内干しで外に干した時と同等の臭いの洗濯物を得ることができる。
【００４２】
また、他の手段は渦輪空気搬送機に人感センサーを設け、微細液滴調整装置に人体に有効な溶液を配合する。人感センサーにより人の位置を把握し、近傍上方で渦輪が崩壊するように調整する。
【００４３】
これにより、浴室等で空気のサプリメントを効率的に摂取することができる。配合の物質により美肌効果などの効能を得ることができる。
【発明の効果】
【００４４】
本発明によれば目的の濃度の成分を含んだ空気を目的の場所まで濃度を変える事無く搬送できるという効果のある渦輪空気搬送機を提供できる。また、目的の場所で空気の拡散の開始を始めることができる。
【発明を実施するための最良の形態】
【００４５】
本発明の請求項１記載の発明は、空気砲発生装置と気体濃度調整装置または微細液滴濃度調整装置を設けたものであり、気体濃度調整装置または微細液滴濃度調整装置により、目的濃度に調整された気体または微細液滴を規定の量だけ空気砲発生装置に搬送し、空気砲発生装置より渦輪を作って送出するという作用を有することにより、有効成分の目的量を目的の場所に搬送する効果がある。
【００４６】
また、濃度調整時間を短縮するための加熱器を気体調整装置内部に備えたものであり、溶液を加熱することにより気化時間を短縮することができる。
【００４７】
また、空気砲発生装置よりの送出スピードを変化させたとき、気体濃度調整装置または微細液滴濃度調整装置の目的濃度を変化させたものであり、規定量を空気砲発生装置に搬送するという作用を有することにより、有効成分の量を任意に変化させることができる。
【００４８】
また、空気砲発生装置よりの送出スピードを変化させたとき、気体濃度調整装置または微細液滴濃度調整装置より空気砲発生装置に搬送する量を調整するとしたものであり、空気砲発生装置より適切な濃度の成分の空気を送出できるという作用を有することにより、有効成分を安定した濃度で搬送できる。
【００４９】
また、空気砲発生装置内に攪拌ファンを設けたものであり、気体濃度調整装置または微細液滴濃度調整装置より搬送された空気を、空気砲発生装置内で均一にするという作用を有すことにより、有効成分を安定するための時間を短縮できる。
【００５０】
また、渦輪空気搬送機に臭いセンサーを設けたものであり、空気砲発生装置より送出される量を、臭気の量により調整にするという作用を有すことにより、臭気の量に対し適切な量の有効成分を搬送できる。
【００５１】
また、渦輪空気搬送機に湿度センサーを設けたものであり、空気砲発生装置より送出される量を、臭気の量と種類と湿度による人の感応を考慮し調整にする制御を行うという作用を有することにより、人の感応に対し、適切な量の有効成分を搬送できる。
【００５２】
また、渦輪空気搬送機に臭いセンサーを設けたものであり、空気砲発生装置より送出される調整された空気の濃度を、臭気の量により調整にするという作用を有することにより、臭気の量に対し適切な濃度の有効成分を搬送することができる。
【００５３】
また、渦輪空気搬送機に空間認識センサーを設けたものであり、空気砲発生装置より送出される量と渦輪の崩壊するポイントを、空間中心の上方の拡散最適ポイントになるよう調整にできるという作用を有することにより、有効成分の室内での拡散時間を短縮し、且つ使用量を最小に抑えることができる。
【００５４】
また、渦輪空気搬送機に赤外線センサーを設けたものであり、空気砲発生装置より送出される量と渦輪の崩壊するポイントを、熱源上方の最適ポイントになるよう調整にするという作用を有することにより、臭気が拡散する前に有効成分を臭気の原因物質の近傍に搬送し、そこで拡散を行ない、臭気の拡散を抑えることができる。
【００５５】
また、気体濃度調整装置または微細液滴濃度調整装置を複数以上有するものであり、臭気により成分を変更できるという作用を有することにより、異なった臭気に対応することができる。
【００５６】
また、渦輪空気搬送機に付属のポインター付きリモコンを設けたものであり、任意に選択した場所をポインターで示し、その場所に空気砲発生装置より送出されるよう調整にすることができるという作用を有することにより、不快な臭気を発生している場所に、任意で有効成分を搬送することができる。
【００５７】
また、ポインター付きリモコンに、臭い別のスイッチを設けたものであり、任意に臭気を選択して空気砲発生装置より送出されるよう調整にすることができるという作用を有することにより、臭気の種類を選択し、有効成分を任意に搬送することができる。
【００５８】
また、空気砲発生装置より送出されるタイミングを１／ｆの制御を用いて調整したものであり、快適に匂いを送出できるという作用を有することにより、空気搬送による不快感をなくすことができる。
【００５９】
また、渦輪空気搬送機に人感センサーを設けたものであり、人が入ってくると装置が作動し芳香成分を送出するよう制御することができるという作用を有することにより、臭いを除去してから入室することができる。
【００６０】
また、渦輪空気搬送機にセンサーを設け、微細液滴濃度調整装置に不飽和脂肪酸を規定量いれ、同時に渦輪空気搬送機に紫外線ランプを設けたものであり、渦輪空気搬送機のセンサーにより洗濯物の位置を把握し、不飽和脂肪酸を送出する。同時に渦輪空気搬送機に紫外線ランプにより洗濯物に紫外線ランプを照射し不飽和脂肪酸が分解され、天日干しのにおいとなるという作用を有することにより、室内干の洗濯物の悪臭を感じなくすることができる。
【００６１】
また、微細液滴濃度調整装置内に人体に有効なサプリメント成分を配し。渦輪空気搬送機にセンサーを設けたものであり、人の位置を把握し、人の上部近傍で渦輪が崩壊することにより、有効にサプリメント効果を発揮できる。
【００６２】
以下、本発明の実施の形態について図面を参照しながら説明する。
【００６３】
（実施の形態１）
図１に示すように、フレーム１と放出口２と振動部３からなる空気砲発生装置４と、空気砲発生装置４と気体ダクト５により接続された、内部に半導体ガスセンサなどの濃度センサー６を有する気体濃度調整装置７または微細液滴濃度調整装置８と、気体濃度調整装置７または微細液滴濃度調整装置８と液体ダクト９により接続された溶液タンク１０からなる。溶液タンク１０に脱臭剤、例えば、フィトンチッドなどの溶液を充填し、液体ダクト９の液体流量制御弁１１により供給量を調整し、例えば植物の精油成分などの芳香剤などの気体濃度の気体濃度調整装置７、または、脱臭剤、例えば、フィトンチッドなどの微細液滴の微細液滴濃度調整装置８に搬送する。気体濃度調整装置７または微細液滴濃度調整装置８で濃度を調整した、目的濃度になった材料を含む空気は気体ダクト５の気体流量制御弁１２により供給量を調整し空気砲発生装置４へ搬送する。搬送された空気はフレーム１内で拡散され、振動部３により目的の強度の衝撃を与えられることにより、放出部２より、目的の場所まで渦輪３０の形状で送出される。
【００６４】
上記構成において、放出口２より送出される空気は外側と内側の空気の流れる方向が異なる事により空気の渦ができ、その事により渦内の空気は外の空気と交わる事無く目的の場所まで搬送される。また空気の渦が外気との摩擦を低減するため目的の場所まで少ないエネルギーで搬送することができる。よって目的の濃度の材料を含む気体は、濃度を変える事無く、目的の場所に搬送することができる。振動部３はフレーム１に衝撃を与える事ができればよく、例えばピストンなどがある。
【００６５】
気体濃度調整装置７は、例えば、容器内で植物の精油成分などの芳香剤などの気体を気化し、半導体ガスセンサなどの濃度センサー６を用いて気体濃度を計測しながら、、空気などで希釈し、植物の精油成分などの芳香剤などの気体の濃度調整をする。微細液滴濃度調整装置８は、例えば、容器内で、フィトンチッドなどの溶液を超音波あるいは、ノズル噴霧あるいは気化などで微細液滴化し、空気などで希釈し微細液滴濃度の濃度調整をする。微細液滴径としては、目的の搬送場所に搬送できる程度であればよく、例えば、０．１μｍ〜１０数μｍ程度でよい。
【００６６】
（実施の形態２）
実施の形態１と同一部分は同一符号を付し詳細な説明は省略する。図２に示すように、気体濃度調整装置７内に加熱器１３を設ける。
【００６７】
上記構成において、気体濃度調整装置７内の溶液を加熱器１３により加熱することにより、溶液の気化時間が短縮され、目標濃度へ到達するまでの時間を短縮することができる。
【００６８】
なお溶液は直接加熱してもよいが、気体濃度調整装置内の温度を上げることにより、気化時間を短縮しても良い。加熱器１３は温度を上昇させる事ができればよく、たとえばシーズヒーターなどがある。
【００６９】
（実施の形態３）
実施の形態１、２と同一部分は同一符号を付し詳細な説明は省略する。図３に示すように、振動部３の衝撃を与えるスピードから濃度センサー６の規定濃度を調整する濃度制御回路１４を設ける。
【００７０】
上記構成において、振動部３に衝撃を与える間隔を短くすると、放出口２よりフレーム１内に進入する空気の量が増える、そのため、フレーム１内の濃度を一定に保つためには、気体ダクト５より供給される空気の濃度を増加する必要がある。衝撃を与える間隔より、供給濃度を計算する濃度制御回路１４により、供給濃度を調整することにより、フレーム１内の濃度を一定に保つことができる。
【００７１】
（実施の形態４）
実施の形態１乃至３と同一部分は同一符号を付し詳細な説明は省略する。図４に示すように、振動部３の衝撃を与える間隔から液体流量制御弁１１の規定流量を調整する流量制御回路１５を設ける。
【００７２】
上記構成において、衝撃を与える間隔が短い場合、放出口２よりフレーム１内に進入する空気の量が増える、そのため、フレーム１内の濃度を一定に保つためには、気体ダクト５より供給される空気の流量を増加する必要がある。衝撃の間隔より、供給流量を計算する流量制御回路１５により、供給流量を調整することにより、フレーム１内の濃度を一定に保つことができる。
【００７３】
（実施の形態５）
実施の形態１乃至４と同一部分は同一符号を付し詳細な説明は省略する。図５に示すように、フレーム１内に攪拌ファン１６を設ける。
【００７４】
上記構成において、フレーム１内の気体を攪拌することにより、有効成分の濃度の均一性を向上することができる。
【００７５】
（実施の形態６）
実施の形態１乃至５と同一部分は同一符号を付し詳細な説明は省略する。図６に示すように、臭いセンサー１７を設ける。
【００７６】
上記構成において、半導体ガスセンサなどの臭いセンサー１７の値が上昇した時は、振動部３の衝撃を与える間隔を短くし、渦輪３０の発生量を増加させる。その事により、悪臭の消臭スピードを上げることが出来る。
【００７７】
（実施の形態７）
実施の形態１乃至６と同一部分は同一符号を付し詳細な説明は省略する。図７に示すように、湿度センサー１８を設ける。
【００７８】
上記構成において、臭いセンサー１７と湿度センサー１８の値より、臭いの種類と湿度の関係から人の快不快のデータより類推し、振動部３の衝撃を与えるスピードを変更し、渦輪３０の発生量を調整させる。その事により、感応的な悪臭の消臭スピードを上げることが出来る。
【００７９】
（実施の形態８）
実施の形態１乃至７と同一部分は同一符号を付し詳細な説明は省略する。図８に示すように、臭いセンサー１７を設ける。
【００８０】
上記構成において、臭いセンサー１７の値が高い時は、気体濃度調整装置７または微細液滴濃度調整装置８内の空気の濃度を上げ、フレーム１に供給する濃度を上げることにより、一回の渦輪３０の濃度を高くし、悪臭の消臭スピードを上げることが出来る。
【００８１】
（実施の形態９）
実施の形態１乃至８と同一部分は同一符号を付し詳細な説明は省略する。図９に示すように、本体１９に赤外線センサーや撮像素子などの空間認識センサー２０を設ける。
【００８２】
上記構成において、空間認識センサー２０により、部屋の広さ、形状を認識し、拡散に最適な、部屋の中心の上部で渦輪３０が崩壊するように調整し、本体１９より送出される。このことにより、部屋全体への拡散が効率的に行われる。また、拡散したい気体が、室内空気より軽い時は、部屋の中心の下方に送出する。
【００８３】
（実施の形態１０）
実施の形態１乃至９と同一部分は同一符号を付し詳細な説明は省略する。図１０に示すように、本体１９に熱を感知する赤外線センサー２１を設ける。
【００８４】
上記構成において、赤外線センサー２１により、臭いの発生源である熱源を認識し、熱源の上部で渦輪３０が崩壊するように調整し、本体１９より送出される。この操作により、臭気が部屋全体へ拡散する前に効率的に消臭が行われる。
【００８５】
（実施の形態１１）
実施の形態１乃至１０と同一部分は同一符号を付し詳細な説明は省略する。図１１に示すように、第２濃度調整ユニット２２を設ける。
【００８６】
上記構成において、フレーム１に材料の濃度を調整された空気を搬送するユニットを複数以上有することにより、悪臭の種類別の脱臭を行うことができる。また、芳香も数種類の香りを出すことができる。
【００８７】
（実施の形態１２）
実施の形態１乃至１１と同一部分は同一符号を付し詳細な説明は省略する。
【００８８】
図１２に示すように、ポインター付きリモコン２３を設ける。
【００８９】
上記構成において、本体１９と通信機能を有するポインター付きリモコン２３を設ける。ポインター付きリモコン２３のレーザーを臭いの気になるポイントに当てる。赤外線などの通信機能により、レーザーの当たっている場所を認識した本体１９より、レーザーのあたっている場所に向け、渦輪３０を発射する。このことにより、壁面やソファーなどの気になる箇所に任意に消臭剤を当てる事ができる。
【００９０】
（実施の形態１３）
実施の形態１乃至１２と同一部分は同一符号を付し詳細な説明は省略する。図１３に示すように、ポインター付きリモコン２３に臭い別スイッチ２４を設ける。
【００９１】
上記構成において、本体１９と通信機能を有するポインター付きリモコン２３に臭い別スイッチ２４を設ける。ポインター付きリモコン２３のレーザーを臭いの気になるポイントに当てる。通信機能により、レーザーの当たっている場所を認識した本体１９より、レーザーのあたっている場所に向け、渦輪３０を発射する。その時、使用者が気になる臭いのスイッチを押す。たとえば、タバコの臭い、調理の臭い、かびの臭いなど。このことにより、臭いに対応した消臭剤を任意に当てる事ができる。
【００９２】
また、悪臭の除去以外に、心地よい匂いの香り付けもできる。
【００９３】
（実施の形態１４）
実施の形態１乃至１３と同一部分は同一符号を付し詳細な説明は省略する。図１４に示すように、振動部３に１／ｆ制御部２５を設ける。
【００９４】
上記構成において、振動部３に１／ｆ制御部２５を設け、振動部３による衝撃の間隔、強度を１／ｆゆらぎとなるように制御する。人に心地よいリズムの送風となり、空気が当たる不快感を緩和できる。
【００９５】
（実施の形態１５）
実施の形態１乃至１４と同一部分は同一符号を付し詳細な説明は省略する。図１５に示すように、本体１９に人感センサー２６を設ける。
【００９６】
上記構成において、人感センサー２６により人の入室を感知し、人に向け香りを発射する。なお、防犯の目的で、侵入者に悪臭を発射することで、人体に害が無く、且つ臭気が残るので追跡も容易となる。人感センサーは、人が感知できればよく、たとえば集電型赤外線センサーなどがある。
【００９７】
（実施の形態１６）
実施の形態１乃至１５と同一部分は同一符号を付し詳細な説明は省略する。図１６に示すように、本体１９に洗濯物の場所を感知するセンサー２７と紫外線ランプ２８を設ける。
【００９８】
上記構成において、センサー２７により洗濯物の場所を把握する。そして不飽和脂肪酸などの有機物を配合した渦輪３０をその洗濯物に発射する。その直後に、紫外線ランプ２８により、その洗濯物に紫外線を照射し、洗濯物の素材に付いている有機物を分解し、天日干しと同等の臭気に変換する。
【００９９】
室内干しにおいても、紫外線殺菌を行い、屋外で干した時と同等の臭気が得られる。
【０１００】
（実施の形態１７）
実施の形態１乃至１６と同一部分は同一符号を付し詳細な説明は省略する。図１７に示すように、本体１９に人感センサー２６設ける。
【０１０１】
上記構成において、浴室などで人感センサー２６により人の位置を把握し、上方近傍で渦輪３０が崩壊するように発射する。渦輪の成分として、人体に有効なサプリメント効果のある材料を配合する。たとえば、ビタミンＣなどを配合すると美肌効果や、酸化防止効果がある。
【産業上の利用可能性】
【０１０２】
空気砲を用いることにより、目的濃度の成分を含んだ空気を目的の場所まで容易に搬送することができ、効率よく成分の拡散ができることとなり、空気清浄、空気浄化、脱臭、マスキングなどに適用でき、家庭用のみならず、業務用、産業用の用途などにも適用できる。
【図面の簡単な説明】
【０１０３】
【図１】本発明の実施の形態１の渦輪空気搬送機の概略構成図
【図２】本発明の実施の形態２の渦輪空気搬送機の概略構成図
【図３】本発明の実施の形態３の渦輪空気搬送機の概略構成図
【図４】本発明の実施の形態４の渦輪空気搬送機の概略構成図
【図５】本発明の実施の形態５の渦輪空気搬送機の概略構成図
【図６】本発明の実施の形態６の渦輪空気搬送機の概略構成図
【図７】本発明の実施の形態７の渦輪空気搬送機の概略構成図
【図８】本発明の実施の形態８の渦輪空気搬送機の概略構成図
【図９】本発明の実施の形態９の渦輪搬送のモデル図
【図１０】本発明の実施の形態１０の渦輪搬送のモデル図
【図１１】本発明の実施の形態１１の渦輪空気搬送機の概略構成図
【図１２】本発明の実施の形態１２の渦輪搬送のモデル図
【図１３】本発明の実施の形態１３のリモコンの概略構成図
【図１４】本発明の実施の形態１４の渦輪搬送のモデル図
【図１５】本発明の実施の形態１５の渦輪搬送のモデル図
【図１６】本発明の実施の形態１６の渦輪搬送のモデル図
【図１７】本発明の実施の形態１７の渦輪搬送のモデル図
【図１８】従来技術の空気搬送機の概略構成図
【符号の説明】
【０１０４】
１      フレーム
２      放出口
３      振動部
４      空気砲発生装置
５      気体ダクト
６      濃度センサー
７      気体濃度調整装置
８      微細液滴濃度調整装置
９      液体ダクト
１０    溶液タンク
１１    液体流量制御弁
１２    気体流量制御弁
１３    加熱器
１４    濃度制御回路
１５    流量制御回路
１６    攪拌ファン
１７    臭いセンサー
１８    湿度センサー
１９    本体
２０    空間認識センサー
２１    赤外線センサー
２２    第２濃度調整ユニット
２３    ポインター付きリモコン
２４    臭い別スイッチ
２５    １／ｆ制御部
２６    人感センサー
２７    センサー
２８    紫外線ランプ
３０    渦輪
１０１  本体
１０２  送風機
１０３  送風口
１０４  第一収容部
１０５  第二収容部
１０６  エアーポンプ
【図１】
2008188189.tif 000003
【図２】
2008188189.tif 000004
【図３】
2008188189.tif 000005
【図４】
2008188189.tif 000006
【図５】
2008188189.tif 000007
【図６】
2008188189.tif 000008
【図７】
2008188189.tif 000009
【図８】
2008188189.tif 000010
【図９】
2008188189.tif 000011
【図１０】
2008188189.tif 000012
【図１１】
2008188189.tif 000013
【図１２】
2008188189.tif 000014
【図１３】
2008188189.tif 000015
【図１４】
2008188189.tif 000016
【図１５】
2008188189.tif 000017
【図１６】
2008188189.tif 000018
【図１７】
2008188189.tif 000019
【図１８】
2008188189.tif 000020